(57)【特許請求の範囲】
【請求項１】
隔壁によって外部と隔絶され、前後方向に開閉可能な開き戸と、レールに案内されて左右方向にスライド移動可能な建具とを備えた閉鎖空間で、前記開き戸の開閉に伴う前記閉鎖空間の気圧変動によって前記建具に振動が生じるのを抑制する開き戸開閉時の建具振動抑制構造において、
前記閉鎖空間の内部と外部とを連通する通気ダクトが設けられるとともに、該通気ダクトの内部に、前記閉鎖空間の内部と外部の気圧差に応じて開閉する気圧変動抑制弁が設けられたことを特徴とする開き戸開閉時の建具振動抑制構造。
【請求項２】
隔壁によって外部と隔絶され、前後方向に開閉可能な開き戸と、レールに案内されて左右方向にスライド移動可能な建具とを備えた閉鎖空間で、前記開き戸の開閉に伴う前記閉鎖空間の気圧変動によって前記建具に振動が生じるのを抑制する開き戸開閉時の建具振動抑制構造において、
前記開き戸の開閉速度を検知する開閉速度検知センサと、前記開き戸の開閉速度に応じて前記閉鎖空間の内部と外部とを通気または隔絶する通気機構と、を備えることを特徴とする開き戸開閉時の建具振動抑制構造。
【請求項３】
隔壁によって外部と隔絶され、前後方向に開閉可能な開き戸と、レールに案内されて左右方向にスライド移動可能な建具とを備えた閉鎖空間で、前記開き戸の開閉に伴う前記閉鎖空間の気圧変動によって前記建具に振動が生じるのを抑制する開き戸開閉時の建具振動抑制構造において、
前記開き戸の開閉を操作するためのドアハンドルと、該ドアハンドルの動きに連動して前記閉鎖空間の内部と外部とを通気または隔絶する通気機構と、を備えることを特徴とする開き戸開閉時の建具振動抑制構造。
【請求項４】
前記通気機構が、前記開き戸と前記隔壁との間に形成された隙間と、該隙間を封鎖または開放する隙間調節部材と、を備えることを特徴とする請求項２又は３に記載の開き戸開閉時の建具振動抑制構造。
【請求項５】
前記通気機構が、前記開き戸に貫通形成された通気窓と、該通気窓を封鎖または開放する窓調節部材と、を備えることを特徴とする請求項２又は３に記載の開き戸開閉時の建具振動抑制構造。
【発明の詳細な説明】
【技術分野】
【０００１】
本発明は、隔壁によって外部と隔絶され、前後方向に開閉可能な開き戸と、レールに案内されて左右方向にスライド移動可能な建具とを備えた閉鎖空間で、開き戸の開閉に伴う閉鎖空間の気圧変動によって建具に振動が生じるのを抑制する開き戸開閉時の建具振動抑制構造に関する。
【背景技術】
【０００２】
住宅等の建物では、建物外部から建物内部の玄関ホールへ入る際、或いは玄関ホールから建物外部へ出る際に、玄関ドアを前後に開閉することに伴って玄関ホールの気圧が急激に変動することによって、玄関ホールに開閉可能に設けられた建具が振動し、ガタツキ音が生じたり建具に衝撃が加わるという問題がある。また、冷暖房効率等の観点から住宅の気密化が進む近年は玄関ホールの気密性も高まっていることに加えて、玄関ホールの冷たい空気が隣室に流れ込まないよう、その境界に設けられる建具は壁の開口を隙間なく塞ぐように設けられることが多いため、玄関ホールの気密性は一層高まっている。従って、玄関ドアの開閉時に玄関ホールに急激な気圧変動が生じやすく、上記建具の振動の問題がより顕著化している。
【０００３】
特に、建具が左右方向にスライドして開閉するいわゆる引き戸の場合、前後方向に回動して開閉するいわゆる開き戸のように床との間に隙間が設けられないため、玄関ホールは気密性がより高くなって玄関ドアの開閉時に気圧変動が生じやすい。更に、このような引き戸は、その下端部に回転可能に設けられた戸車が床に敷設されたレールに嵌合される構成とされ、戸車がスムーズに回転できるよう、戸車とレールとの間には若干の遊びが設けられるため、この遊び分のガタツキが生じやすい。
【０００４】
このような問題を抑制する手段としては、ガタツキ防止用の部材を建具に取り付ける方法が従来提唱されている。図１２は、従来例に係るガタツキ防止具７０の構成を示す概略斜視図である（特許文献１参照）。このガタツキ防止具７０は、縦断面Ｌ字形状の取付部７１と、この取付部７１から湾曲して延出された一対の可撓片７２とから構成される。このガタツキ防止具７０は、その取付部７１が引き戸の上縁に取り付けられて可撓片７２が引き戸の側方へ膨出した状態となり、引き戸の上端部を鴨居溝に嵌合させた時に、可撓片７２が鴨居溝の側面に当接するようになっている。このような構成により、引き戸に生じた振動は可撓片７２の撓み変形によって吸収され、引き戸が鴨居溝に直接接触してガタツキ音が生じることがなく、また引き戸に衝撃が加わることもない。
【０００５】
また、上記問題を抑制する他の手段として、玄関ドアにいわゆるドアクローザを取り付ける方法も従来提唱されている（特許文献２参照）。このドアクローザは、油圧等を利用して扉の閉止速度を減速させることにより、扉が閉まる瞬間の衝撃や音を緩和するための装置である。このドアクローザを玄関ドアに取り付ければ、玄関ドアがゆっくりとした速度で閉まるので、玄関ホールの気圧が急激に変動することがない。従って、玄関ドアの閉止時に建具が振動するのを抑制することができる。
【０００６】
【特許文献１】特開平１１−２２２９３号公報
【特許文献２】特開平８−１３５２９９号公報
【発明の開示】
【発明が解決しようとする課題】
【０００７】
しかし、ガタツキ防止具７０を建具に取り付ける構造では、建具の数だけガタツキ防止具７０を用意してそれぞれ取付作業を行う必要があり、コストアップにつながるとともに取付作業が煩雑化するという問題がある。
【０００８】
また、ドアクローザを玄関ドアに取り付ける構造では、ドアクローザが果たす本来的な役割はドアが閉まる瞬間の衝撃や音を緩和することであるため、玄関ホールの気圧変動を抑制して建具の振動を防止するという効果は十分に得られないという問題がある。他方、玄関ホールの気圧変動を十分に抑制できるよう、玄関ドアの閉止速度が極低速になるようにドアクローザを設定した場合、玄関ドアが閉じるまでの時間が非常に長くなって使い勝手が悪くなるという問題がある。また、ドアクローザによれば、玄関ドアが閉じる瞬間に生じる玄関ホールの気圧変動は抑制できるものの、玄関ドアが開く瞬間に生じる玄関ホールの気圧変動は抑制することができないという問題もある。更に、ドアクローザは一般的に油圧式であって衝撃緩和効果が温度依存するため、ドアの閉止速度を一定に保つためには、季節ごとにドアクローザを調整しなければならないという問題もある。
【０００９】
本発明は、このような問題に鑑みてなされたものであり、玄関ドアが閉じる瞬間と開く瞬間に生じる玄関ホールの急激な気圧変動を、簡略な構成で十分に抑制することが可能な手段を提供する。
【課題を解決するための手段】
【００１０】
上記目的を達成するための本発明に係る開き戸開閉時の建具振動抑制構造は、隔壁によって外部と隔絶され、前後方向に開閉可能な開き戸と、レールに案内されて左右方向にスライド移動可能な建具とを備えた閉鎖空間で、前記開き戸の開閉に伴う前記閉鎖空間の気圧変動によって前記建具に振動が生じるのを抑制する開き戸開閉時の建具振動抑制構造において、前記閉鎖空間の内部と外部とを連通する通気ダクトが設けられるとともに、該通気ダクトの内部に、前記閉鎖空間の内部と外部の気圧差に応じて開閉する気圧変動抑制弁が設けられたものである。
【００１１】
また、本発明に係る開き戸開閉時の建具振動抑制構造は、隔壁によって外部と隔絶され、前後方向に開閉可能な開き戸と、レールに案内されて左右方向にスライド移動可能な建具とを備えた閉鎖空間で、前記開き戸の開閉に伴う前記閉鎖空間の気圧変動によって前記建具に振動が生じるのを抑制する開き戸開閉時の建具振動抑制構造において、前記開き戸の開閉速度を検知する開閉速度検知センサと、前記開き戸の開閉速度に応じて前記閉鎖空間の内部と外部とを通気または隔絶する通気機構と、を備えるものである。
【００１２】
また、本発明に係る開き戸開閉時の建具振動抑制構造は、隔壁によって外部と隔絶され、前後方向に開閉可能な開き戸と、レールに案内されて左右方向にスライド移動可能な建具とを備えた閉鎖空間で、前記開き戸の開閉に伴う前記閉鎖空間の気圧変動によって前記建具に振動が生じるのを抑制する開き戸開閉時の建具振動抑制構造において、前記開き戸の開閉を操作するためのドアハンドルと、該ドアハンドルの動きに連動して前記閉鎖空間の内部と外部とを通気または隔絶する通気機構と、を備えるものである。
【００１３】
また、本発明に係る開き戸開閉時の建具振動抑制構造は、前記通気機構が、前記開き戸と前記隔壁との間に形成された隙間と、該隙間を封鎖または開放する隙間調節部材と、を備えるものである。
【００１４】
また、本発明に係る開き戸開閉時の建具振動抑制構造は、前記通気機構が、前記開き戸に貫通形成された通気窓と、該通気窓を封鎖または開放する窓調節部材と、を備えるものである。
【発明の効果】
【００１５】
本発明に係る開き戸開閉時の建具振動抑制構造によれば、開き戸が閉じた状態または開いた状態であって、閉鎖空間の内部と外部の気圧が等しい時は、気圧変動抑制弁が通気ダクトの内部空洞を閉鎖しており、通気ダクトの他端が接続された隣室等の気密性や防音性が確保される。一方、開き戸の開閉動作が開始されて閉鎖空間の内部と外部で瞬間的な気圧差が生じた時は、気圧変動抑制弁が通気ダクトの内部空洞を開放することにより、閉鎖空間の内部と外部の気圧が等しくなる。これにより、開き戸の開閉時に閉鎖空間に急激な気圧変動が生じることが抑制され、建具が振動してガタツキ音が生じたり衝撃が加わることを防止することができる。
【００１６】
また、本発明に係る開き戸開閉時の建具振動抑制構造によれば、開き戸が閉じた状態または開いた状態であって、開閉速度検知センサによって検知される開き戸の開閉速度が所定値に満たない間は、通気機構が閉鎖空間の内部と外部とを隔絶しており、閉鎖空間の気密性が確保される。一方、開き戸の開閉動作が開始されて開き戸の開閉速度が所定値を超えて大きくなると、通気機構が閉鎖空間の内部と外部を通気することにより、閉鎖空間の内部と外部の気圧が等しくなる。これにより、その後の開閉動作に伴って閉鎖空間に急激な気圧変動が生じることが抑制され、建具が振動してガタツキ音が生じたり衝撃が加わることを防止することができる。
【００１７】
また、本発明に係る開き戸開閉時の建具振動抑制構造によれば、開き戸が閉じた状態または開いた状態であって、ドアハンドルが動作しない間は、通気機構が閉鎖空間の内部と外部とを隔絶しており、閉鎖空間の気密性が確保される。一方、開き戸の開閉動作が開始されてドアハンドルが動作すると、これに連動して通気機構が閉鎖空間の内部と外部を通気することにより、閉鎖空間の内部と外部の気圧が等しくなる。これにより、その後の開閉動作に伴って閉鎖空間に急激な気圧変動が生じることが抑制され、建具が振動してガタツキ音が生じたり衝撃が加わることを防止することができる。
【００１８】
また、本発明に係る開き戸開閉時の建具振動抑制構造によれば、簡潔な構成で、且つ、周囲の環境条件等に影響を受けることもなく、開き戸の開閉時に生じる建具の振動を十分に抑制することができる。
【００１９】
また、本発明に係る開き戸開閉時の建具振動抑制構造によれば、簡潔な構成で、且つ、周囲の環境条件等に影響を受けることもなく、開き戸の開閉時に生じる建具の振動を十分に抑制することができる。
【発明を実施するための最良の形態】
【００２０】
まず、本発明の第１実施例に係る開き戸開閉時の建具振動抑制構造について図面に基づいて説明する。図１は、第１実施例に係る開き戸開閉時の建具振動抑制構造１（以下、単に「建具振動抑制構造」と略す。）を示す概略縦断面図である。建具振動抑制構造１は、住宅２の玄関ホール３と隣室４との間を連通する通気ダクト５と、該通気ダクト５の内部に設けられて玄関ホール３の内部の気圧変動を抑制する気圧変動抑制弁６と、を備えるものである。
【００２１】
図２は、本実施例に係る玄関ホール３を屋内側から見た概略斜視図である。玄関ホール３は、隔壁としての床７や天井８や壁９によって包囲されることで屋外１０と隔絶された閉鎖空間であって、屋外１０に面する壁９に開き戸１１が開閉可能に設けられる一方、図１に示す隣室４に面する壁９には引き戸（建具）１２が開閉可能に設けられている。尚、図２には示していないが、紙面手前側にも隔壁としての壁９が設けられている。
【００２２】
開き戸１１は、玄関ホール３と屋外１０との間を行き来するための玄関ドアである。ここで、図３は、開き戸１１を玄関ホール３側から見た概略正面図である。開き戸１１は、採光用窓１３が設けられた戸板１４の表裏両面に開閉操作用の把手１５をそれぞれ取り付けることで構成される。このように構成される開き戸１１は、屋外１０に面する壁９に形成された開口１６を塞ぐように配置され、把手１５と逆側の端部が蝶番１７を介して壁９に固定されるとともに、その上部には閉止速度を調整可能な従来公知のドアクローザ１８が取り付けられている。これにより開き戸１１は、蝶番１７を支点として回動することで前後方向に開閉可能に、且つ、ドアクローザ１８を調整することで閉止時の衝撃や音を緩和可能になっている。尚、開き戸１１の開き方向は、図２に示すように屋外１０側に向かって開く構成以外に、玄関ホール３側に向かって開く構成や、屋外１０側と玄関ホール３側の両方に向かって開く構成とすることも可能である。また、図に詳細は示さないが、開き戸１１は、２枚の戸板がそれぞれ前後方向に開閉するいわゆる両開きドアとして構成したり、両開きドアの中でも２枚の戸板の横幅が大小異なるいわゆる親子ドアとして構成することも可能である。
【００２３】
引き戸１２は、玄関ホール３と隣室４との間を行き来するためのドアである。ここで、図４は、引き戸１２の下端部を拡大した概略縦断面図である。引き戸１２は、図２と図４に示すように、採光用窓１９が設けられた戸板１４と、この戸板１４の表裏両面にそれぞれ取り付けられた開閉操作用の把手２０と、戸板１４の下端部に回転自在に軸支された複数の戸車２１とを備えるものである。このように構成される引き戸１２は、床７に敷設された縦断面凹形状のレール２２に対して各戸車２１がそれぞれ嵌合され、各戸車２１がレール２２に沿って転動することによって、図２に矢印で示すように左右方向にスライドして開閉可能となっている。そして、このような引き戸１２の構造によれば、戸板１４の下端部と床７との間の隙間２３が狭く、床７との間に所定幅の隙間が設けられる開き戸１１と比較して玄関ホール３の気密性がより高まるので、開き戸１１の開閉によって玄関ホール３に気圧変動が生じやすい。更に、戸車２１をレール２２に嵌合させるに際しては、戸車２１がスムーズに転動できるよう、両者の間に若干の遊び２４が設けられるため、引き戸１２にはこの遊び２４分のガタツキが生じやすい。尚、本実施例では本発明に係る建具として引き戸１２を例に挙げて説明するが、これと同様に左右方向にスライドして床７との間の隙間が狭い構成を有するその他の建具、例えば窓やふすまや障子等であってもよい。
【００２４】
前記通気ダクト５は、玄関ホール３の内部と外部とを通気するためのものである。この通気ダクト５は、金属や樹脂等からなる管状部材であって、図１に示すように、天井裏２５に配設されて、その一端開口が玄関ホール３の天井８に形成された通気口に接続されるとともに、他端開口１６が隣室４の天井８に形成された通気口２６に接続されている。尚、本実施例では、通気ダクト５を天井裏２５に配設しているが、これに限られず、例えば壁９の中や床下２７に配設してもよい。また、玄関ホール３における通気ダクト５の一端側を接続する位置は、開き戸１１になるべく近い位置にした方が、開き戸１１の開閉によって玄関ホール３に生じる気圧変動の影響を引き戸１２が受けにくくなるので好適である。更に、通気ダクト５の他端側は玄関ホール３の外部に接続されていれば足り、隣室４まで延ばすことなく天井裏２５や床下２７に開口させた状態としてもよいし、屋外１０に接続してもよい。
【００２５】
前記気圧変動抑制弁６は、開き戸１１の開閉によって玄関ホール３の内部と外部で気圧差が生じるのを抑制するためのものである。ここで、図５は、通気ダクト５における気圧変動抑制弁６の周辺を拡大した部分拡大縦断面図である。気圧変動抑制弁６は、通気ダクト５の内部空洞２８の形状に略合致する形状であって、その上端部２９が通気ダクト５の内部に固定されて、玄関ホール３の内部側と外部側の双方に向かってそれぞれ屈曲可能となっている。このような構成によれば、気圧変動抑制弁６を挟んだ両側の気圧が等しい時、すなわち開き戸１１が閉じた状態或いは開いた状態であって、玄関ホール３の内部と外部の気圧が等しい時は、気圧変動抑制弁６は外力を受けることなく自重によって鉛直な姿勢に保たれ、通気ダクト５の内部空洞２８を閉鎖している。これにより、隣室４の気密性を確保して冷暖房効率を良好に保つとともに、隣室４の防音性も確保することができる。
【００２６】
他方、気圧変動抑制弁６を挟んだ両側の気圧に差異が生じた時、すなわち開き戸１１が開閉されて玄関ホール３の内部の気圧が外部の気圧よりも瞬間的に高くまたは低くなった時は、高気圧側から低気圧側に向かって生じる空気の流れから力を受けることにより、図５に点線で示すように、気圧変動抑制弁６がその上端部２９を支点として屈曲し、通気ダクト５の内部空洞２８を開放する。これにより、開き戸１１を開いた瞬間に玄関ホール３の内部の気圧が外部の気圧より低くなると、気圧変動抑制弁６が玄関ホール３の内部側へ屈曲して、外部の空気が通気ダクト５を介して玄関ホール３の内部へ流入することにより、玄関ホール３の内部の気圧が外部の気圧と等しくなる。逆に、開き戸１１を閉じた瞬間に玄関ホール３の内部の気圧が外部の気圧より高くなると、気圧変動抑制弁６が玄関ホール３の外部側へ屈曲して、玄関ホール３の内部の空気が通気ダクト５を介して外部へ流出することにより、玄関ホール３の内部の気圧が外部の気圧と等しくなる。このようにして、玄関ホール３に急激な気圧変動が生じることを抑制することにより、前記引き戸１２等の建具が振動してガタツキ音が生じたり衝撃が加わることを防止することができる。尚、気圧変動抑制弁６の構造は、本実施例に限定されず、気圧差によって開閉する従来公知の弁構造を採用することができる。
【００２７】
次に、本発明の第２実施例に係る建具振動抑制構造について図面に基づいて説明する。本実施例に係る建具振動抑制構造は、前記ドアクローザ１８に設けられて開き戸１１の開閉速度を検知する開閉速度検知センサ（不図示）と、開き戸１１の下端部に設けられて玄関ホール３の内部と外部を通気または隔絶する通気機構とを備えるものである。ここで、図６は本実施例に係る通気機構３０を示す図であり、図３における開き戸１１の下端部を拡大した部分拡大正面図である。尚、本実施例に係る玄関ホール３は、図２に示した第１実施例に係る玄関ホール３と比較して開き戸１１の周辺の構成だけが異なり、それ以外の引き戸１２等の構成は第１実施例と同じであるため、第１実施例と同じ符号を用い、ここでは詳細な説明を省略する。
【００２８】
通気機構３０は、図６に示すように、戸板１４と床７との間の隙間３１を開放または封鎖する隙間調節部材３２が戸板１４の下端部から出没可能に設けられてなるものである。より詳細に説明すると、本実施例に係る開き戸１１の戸板１４は、その高さ寸法が、壁９に形成された開口１６の高さ寸法より若干小さく形成され、図６に示すように、その下端縁３３と床７との間に若干の隙間３１を空けるようにして、蝶番１７を介して壁９に固定される。そして、隙間調節部材３２は、この隙間３１よりも幅広に形成され、開閉速度検知センサからの信号に応じて戸板１４の下端部から出没することにより、隙間３１を開放または封鎖するよう制御されている。すなわち、開閉速度検知センサによって検知される開き戸１１の開閉速度が予め定めた所定値に達しない間は、図６（ａ）に示すように、隙間調節部材３２は戸板１４の下端部から突出して隙間３１を封鎖している。一方、開き戸１１の開閉速度が所定値を超えて大きくなると、図６（ｂ）に示すように、隙間調節部材３２は戸板１４の内部に没入して隙間３１を開放する。
【００２９】
このような構造によれば、開き戸１１が閉止した状態では、隙間調節部材３２によって隙間３１が封鎖されて玄関ホール３の気密性が保たれている。一方、閉止した状態の開き戸１１の把手１５を掴んで開き動作を開始すると、その開き速度が所定値に達した時に隙間調節部材３２が隙間３１を開放する。これにより、その後の開き動作に伴って玄関ホール３の内部の空気が外部へ流出しても、その一方で外部の空気が隙間３１を介して玄関ホール３の内部へ流入するので、玄関ホール３の内部の気圧が急激に低下することはない。従って、開き戸１１を開く瞬間に、前記引き戸１２等の建具が振動してガタツキ音が生じたり衝撃が加わることを未然に防止することができる。その後、開き戸１１が完全に開放されて停止した状態では、隙間調節部材３２は戸板１４の下端部から突出した状態となっている。
【００３０】
次に、開放された状態の開き戸１１の把手１５を掴んで閉じ動作を開始すると、その閉じ速度が所定値に達した時に隙間調節部材３２が隙間３１を開放する。これにより、その後の閉じ動作に伴って外部の空気が玄関ホール３の内部へ流入しても、その一方で玄関ホール３の内部の空気が隙間３１を介して外部へ流出するので、玄関ホール３の内部の気圧が急激に上昇することはない。従って、開き戸１１を閉じる瞬間に、前記引き戸１２等の建具が振動してガタツキ音が生じたり衝撃が加わることを未然に防止することができる。その後、開き戸１１が再び閉止状態になると、隙間調節部材３２によって隙間３１が封鎖されて玄関ホール３は気密状態になる。
【００３１】
尚、本実施例では戸板１４の下端縁３３と床７との間に隙間３１を形成し、隙間調節部材３２が戸板１４の下端部から出没する構成としたが、これに代えて、戸板１４の上端縁と壁９との間に隙間（不図示）を形成し、隙間調節部材３２が戸板１４の上端部から出没する構成としてもよい。更に、本実施例では隙間調節部材３２を戸板１４から出没させたが、これに代えて、隙間調節部材３２を床７や壁９から出没させてもよい。
【００３２】
また、本実施例では開閉速度検知センサをドアクローザ１８に設けたが、開き戸１１の開閉速度を検知可能な場所であれば、戸板１４や壁９に設けてもよい。更に、本実施例では開き戸１１の開閉動作に電気的に連動するように通気機構３０を動作制御したが、これに代えて、開き戸１１の開閉動作に機械的に連動するように通気機構３０を動作制御してもよい。すなわち、図に詳細は示さないが、引き戸１２に開閉操作用のドアノブやドアハンドルを設け、これらを掴んで廻すと、従来公知のクランク機構等を介して前記隙間調節部材３２が連動するように構成することも可能である。また、本実施例では通気機構３０の動作制御を行うためのトリガとして開き戸１１の開閉速度を用いたが、これに代えて、例えば開き戸１１の周辺における人の存否を用いることも可能である。すなわち、図に詳細は示さないが、開き戸１１の玄関ホール３側と屋外１０側に、従来公知の熱センサや赤外線センサ等によって人の存否を検知する人検知センサをそれぞれ設置し、人の存在を検知している間は、隙間調節部材３２を戸板１４に没入させて隙間３１を開放する一方、人の存在を検知しなくなると、隙間調節部材３２を戸板１４から突出させて隙間３１を封鎖するように構成することも可能である。また、通気機構３０を開閉不能にロックするロック機構を設け、これを開き戸１１自体のロック機構に連動させることにより、開き戸１１が開閉不能にロックされた場合には通気機構３０も開閉不能にロックするようにすれば、防犯上の観点から好適である。
【００３３】
次に、本発明の第３実施例に係る建具振動抑制構造について図面に基づいて説明する。本実施例に係る建具振動抑制構造は、前記ドアクローザ１８に設けられて開き戸１１の開閉速度を検知する開閉速度検知センサ（不図示）と、開き戸１１の側端部に設けられて玄関ホール３の内部と外部を通気または隔絶する通気機構とを備えるものである。ここで、図７は本実施例に係る通気機構４０を示す図であり、図３における開き戸１１の右側端部を拡大した部分拡大正面図である。尚、本実施例に係る玄関ホール３は、図２に示した第１実施例に係る玄関ホール３と比較して開き戸１１の周辺の構成だけが異なり、それ以外の引き戸１２等の構成は第１実施例と同じであるため、第１実施例と同じ符号を用い、ここでは詳細な説明を省略する。
【００３４】
通気機構４０は、戸板１４と壁９との間の隙間４１を開放または封鎖する隙間調節部材４２が戸板１４の側端部から出没可能に設けられてなるものである。より詳細に説明すると、本実施例に係る開き戸１１の戸板１４は、その幅寸法が、壁９に形成された開口１６の幅寸法より若干小さく形成され、図７に示すように、向かって右側端縁４３と壁９との間に若干の隙間４１を空けるようにして、蝶番１７を介して壁９に固定される。そして、隙間調節部材４２は、この隙間４１よりも幅広に形成され、開閉速度検知センサからの信号に応じて戸板１４の右側端部から出没することにより、隙間４１を開放または封鎖するよう制御されている。すなわち、開閉速度検知センサによって検知される開き戸１１の開閉速度が予め定めた所定値に達しない間は、図７（ａ）に示すように、隙間調節部材４２は戸板１４の右側端部から突出して隙間４１を封鎖している。一方、開き戸１１の開閉速度が所定値を超えて大きくなると、図７（ｂ）に示すように、隙間調節部材４２は戸板１４の内部に没入して隙間４１を開放する。ここで、このような構造が奏する作用効果については第２実施例と同様であるため、ここでは説明を省略する。
【００３５】
尚、本実施例では戸板１４の右側端縁４３と壁９との間に隙間４１を形成し、隙間調節部材４２が戸板１４の右側端部から出没する構成としたが、これに代えて、戸板１４の左側端縁と壁９との間に隙間（不図示）を形成し、隙間調節部材４２が戸板１４の左側端部から出没する構成としてもよい。更に、本実施例では隙間調節部材４２を戸板１４から出没させたが、これに代えて、隙間調節部材４２を壁９から出没させてもよい。また、開閉速度検知センサの設置位置が戸板１４や壁９でもよい点、通気機構４０を開き戸１１の開閉動作に機械的に連動させてもよい点、通気機構４０の動作制御を行うためのトリガとして人検知センサを設置してもよい点、及び通気機構４０を開閉不能にロックするロック機構を設けて開き戸１１自体のロック機構に連動させれば防犯上好適である点、については第２実施例と同様である。
【００３６】
次に、本発明の第４実施例に係る建具振動抑制構造について図面に基づいて説明する。本実施例に係る建具振動抑制構造は、玄関ホール３の内部と外部を通気または隔絶する通気機構を備えるものである。尚、本実施例に係る玄関ホール３は、図２に示した第１実施例に係る玄関ホール３と比較して開き戸１１の周辺の構成だけが異なり、それ以外の引き戸１２等の構成は第１実施例と同じであるため、第１実施例と同じ符号を用い、ここでは詳細な説明を省略する。
【００３７】
ここで、図８と図９は本実施例に係る通気機構５０を示す図である。通気機構５０は、横幅が大きく開き戸として構成された親扉５１と、横幅が小さく引き戸として構成された子扉５２と、親扉の開閉速度を検知する開閉速度検知センサ（不図示）、とを具備している。親扉５１は、その幅方向一端部が蝶番５３を介して壁９ａに固定され、この蝶番５３を支点として回動することで前後方向に開閉可能となっている。一方、子扉５２は、床７に敷設されたレール５４に沿ってスライド移動可能に設けられ、開閉速度検知センサからの信号に応じて、壁９ｂに設けられた戸袋５５から出没するよう制御されている。すなわち、開閉速度検知センサによって検知される親扉５１の開閉速度が予め定めた所定値に達しない間は、子扉５２は戸袋５５から突出している。一方、親扉５１の開閉速度が所定値を超えて大きくなると、子扉５２はスライド移動して戸袋５５に収容される。
【００３８】
このように構成される通気機構５０によれば、図８（ａ）に示すように親扉５１が完全に開いた状態では、子扉５２は戸袋５５から完全に突出した状態となっている。この状態から親扉５１の閉じ動作を開始すると、その閉じ速度が所定値に達した時に、図８（ｂ）に示すように子扉５２が戸袋５５の方向へスライド移動を開始し、親扉５１と壁９ｂとの間の隙間５６を一部開放する。これにより、その後の親扉５１の閉じ動作に伴って外部の空気が玄関ホール３の内部へ流入しても、その一方で玄関ホール３の内部の空気が隙間５６を介して外部へ流出するので、玄関ホール３の内部の気圧が急激に上昇することはない。従って、親扉５１を閉じる瞬間に、前記引き戸１２等の建具が振動してガタツキ音が生じたり衝撃が加わることを未然に防止することができる。その後、図９（ａ）に示すように親扉５１が完全に閉止状態になると、子扉５２が親扉５１側へスライド移動を開始し、図９（ｂ）に示すように子扉５２が隙間５６を完全に封鎖することにより、玄関ホール３は気密状態になる。
【００３９】
尚、本実施例では親扉５１の閉じ動作時について説明したが、親扉５１の開き動作時にも、親扉５１の開き速度が所定値に達した時に子扉５２を戸袋５５側へスライド移動させて隙間５６を一部開放することにより、閉じ動作時と同様の作用効果を得ることができる。また、通気機構５０を親扉５１の開閉動作に機械的に連動させてもよい点、通気機構５０の動作制御を行うためのトリガとして人検知センサを設置してもよい点、及び子扉５２を開閉不能にロックするロック機構を設けて親扉５１自体のロック機構に連動させれば防犯上好適である点、については第２実施例と同様である。
【００４０】
次に、本発明の第５実施例に係る建具振動抑制構造について図面に基づいて説明する。本実施例に係る建具振動抑制構造は、前記ドアクローザ１８に設けられて開き戸１１の開閉速度を検知する開閉速度検知センサ（不図示）と、開き戸１１の前記採光用窓１３に設けられて玄関ホール３の内部と外部を通気または隔絶する通気機構とを備えるものである。ここで、図１０は本実施例に係る通気機構６０を示す図であり、図３における開き戸１１の採光用窓１３を拡大した部分拡大正面図である。尚、本実施例に係る玄関ホール３は、図２に示した第１実施例に係る玄関ホール３と比較して開き戸１１の周辺の構成だけが異なり、それ以外の引き戸１２等の構成は第１実施例と同じであるため、第１実施例と同じ符号を用い、ここでは詳細な説明を省略する。
【００４１】
通気機構６０は、戸板１４に設けられた採光用窓１３を開閉可能に構成したものである。すなわち、この採光用窓１３は、戸板１４を貫通して形成された通気窓６１に対し、外部の光を採り込むための透明な窓ガラス（窓調節部材）６２が、戸板１４から出没して通気窓６１を封鎖または開放するように設けられている。すなわち、窓ガラス６２は、開閉速度検知センサによって検知される開き戸１１の開閉速度が予め定めた所定値に達しない間は、図１０（ａ）に示すように戸板１４から突出して通気窓６１を封鎖している。一方、開き戸１１の開閉速度が所定値を超えて大きくなると、図１０（ｂ）に示すように、窓ガラス６２が戸板１４の内部に没入して通気窓６１を開放する。ここで、このような構造が奏する作用効果については第２実施例と同様であるため、ここでは説明を省略する。
【００４２】
尚、戸板１４における通気窓６１の形成位置、個数、及び形状や、窓ガラス６２の開閉方式等は、適宜設計変更が可能である。例えば、窓ガラス６２の開閉方式を、図１１（ａ）に示すように蝶番６３を介した方式としたり、図１１（ｂ）に示すように屈曲可能なアーム部材６４を介した方式としてもよい。また、開閉速度検知センサの設置位置が戸板１４や壁９でもよい点、通気機構６０を開き戸１１の開閉動作に機械的に連動させてもよい点、通気機構６０の動作制御を行うためのトリガとして人検知センサを設置してもよい点、及び通気機構６０を開閉不能にロックするロック機構を設けて開き戸１１自体のロック機構に連動させれば防犯上好適である点、については第２実施例と同様である。更に、本実施例では引き戸１２の戸板１４に通気窓６１を形成したが、壁９や床７や天井８に通気窓６１を形成してもよい。この場合、通気窓６１を形成する位置は、開き戸１１になるべく近い位置にした方が、開き戸１１の開閉によって玄関ホール３に生じる気圧変動の影響を建具が受けにくくなるので好適である。
【００４３】
尚、本発明に係る建具振動抑制構造は、隔壁によって外部と隔絶された空間であれば、住宅２の玄関ホール３だけでなく、例えば勝手口の空間や、屋内の閉鎖された空間に対しても適用することができる。また、本発明に係る建具振動構造は、住宅２内だけでなく、例えばオフィスビル等において外部と隔絶された空間にも適用することができる。また、通気ダクト５や通気機構３０，４０，５０，６０で玄関ホール３の内部と外部を通気することに代えて、開き戸１１の開閉等に連動してポンプ等を用いて玄関ホール３の内部の気圧を調整するようにしてもよい。
【産業上の利用可能性】
【００４４】
本発明に係る建具振動抑制構造は、上記各実施例を適宜組み合わせることも可能である。
【図面の簡単な説明】
【００４５】
【図１】本発明の第１実施例に係る開き戸開閉時の建具振動抑制構造１を示す概略縦断面図。
【図２】第１実施例に係る玄関ホール３を屋内側から見た概略斜視図。
【図３】開き戸１１を玄関ホール３側から見た概略正面図。
【図４】引き戸１２の下端部を拡大した概略縦断面図。
【図５】通気ダクト５における気圧変動抑制弁６の周辺を拡大した部分拡大縦断面図。
【図６】第２実施例に係る通気機構３０を示す図であり、図３における開き戸１１の下端部を拡大した部分拡大正面図。
【図７】第３実施例に係る通気機構４０を示す図であり、図３における開き戸１１の右側端部を拡大した部分拡大正面図。
【図８】第４実施例に係る通気機構５０の動作を説明するための説明図。
【図９】第４実施例に係る通気機構５０の動作を説明するための説明図。
【図１０】第４実施例に係る通気機構６０を示す図であり、図３における開き戸１１の採光用窓１３を拡大した部分拡大正面図。
【図１１】窓ガラス６２の他の開閉方式を説明するための説明図。
【図１２】従来例に係るガタツキ防止具７０の構成を示す概略斜視図。
【符号の説明】
【００４６】
１  建具振動抑制構造
３  玄関ホール（閉鎖空間）
５  通気ダクト
６  気圧変動抑制弁
１１  開き戸
１２  引き戸（建具）
１８  ドアクローザ（開閉速度検知センサ）
２２  レール
３０，４０，５０，６０  通気機構
４１  隙間
４２  隙間調節部材
６１  通気窓
６２  窓調節部材（窓ガラス）
【図１】
0005029903.tif 000002
【図２】
0005029903.tif 000003
【図３】
0005029903.tif 000004
【図４】
0005029903.tif 000005
【図５】
0005029903.tif 000006
【図６】
0005029903.tif 000007
【図７】
0005029903.tif 000008
【図８】
0005029903.tif 000009
【図９】
0005029903.tif 000010
【図１０】
0005029903.tif 000011
【図１１】
0005029903.tif 000012
【図１２】
0005029903.tif 000013